(57)【要約】【課題】  積載済み小サイズシート束の上に大サイズのシートを排出するとき大サイズのシートが排紙束からすべり落ちてしまうことを防止するように制御する画像形成装置。【解決手段】  シートに画像を形成して排出する画像形成手段と、上下に移動する排紙トレイを有するシート積載手段と、該排紙トレイの位置からシート積載量を判断するシート積載量判断手段とを有し、前記シート積載量判断手段により判断された前記シート積載量が、予め規定されたシート積載容量を超えている場合にはシート供給を停止するシート供給制御手段と、排出したシートのサイズを記憶するシートのサイズ記憶手段とを備えた画像形成装置で、前記シートサイズ記憶手段が記憶している排出済みシートサイズより大きいサイズのシートを供給する場合には、前記シート積載容量に満たない場合でも、混載シート積載容量を超えているならば、次のシート供給を停止する画像形成装置とその制御。【選択図】        図４
2005350156.tif 000002
【特許請求の範囲】
【請求項１】
画像を転写する記録紙としてのシートに画像を形成して排出する画像形成手段と、排出されたシートを積載しその積載量によって上下に移動する排紙トレイを有するシート積載手段と、該シート積載手段の排紙トレイの位置からシート積載量を判断するシート積載量判断手段とを有し、前記シート積載量判断手段により判断された前記シート積載量が、予め規定されたシート積載容量を超えている場合にはシート供給を停止するシート供給制御手段と、排出したシートのサイズを記憶するシートサイズ記憶手段とを備えた画像形成装置において、前記シートサイズ記憶手段が記憶している排出済みシートサイズより大きいサイズのシートを供給する場合には、前記シート積載量判断手段により判断されたシート積載量が前記シート積載容量に満たない場合でも、前記シート積載容量とは異なる量に規定された混載シート積載容量を超えているならば、次のシート供給を停止する事を特徴とする画像形成装置。
【請求項２】
請求項１に記載の画像形成装置において、前記シートサイズ記憶手段が記憶している排出済みシートのサイズと異なるサイズのシートを供給する場合に、次に排出するシートが排出済みシートより小さいサイズであれば、先に排出済みのシート積載量が前記混載シート積載容量を超えているかどうかに関係無く、次の異なるサイズのシート供給を停止しない事を特徴とする画像形成装置。
【請求項３】
請求項１又は２に記載の画像形成装置において、既に排出済みのシートが前記シート積載手段に積載されており、次にサイズの異なるシートを供給する場合で且つ供給するシートのサイズの方が既に積載済みのシートのサイズよりも小さい場合には、前記シートサイズ記憶手段が記憶しているシートのサイズをクリアし、次に排出されたシートのサイズを記憶することを特徴とする画像形成装置。
【請求項４】
前記シート積載手段に既に積載されている積載済みシートより小サイズのシートを排出する場合には、既に積載済みシートから連続してシート積載量を数えて次のシート積載の可否判断をすることを特徴とする請求項１〜３の何れか１項に記載の画像形成装置。
【請求項５】
画像を転写する記録紙としてのシートに画像を形成して排出する画像形成手段と、排出されたシートを積載しその積載量によって上下に移動する排紙トレイを有するシート積載手段と、該シート積載手段の排紙トレイの位置からシート積載量を判断するシート積載量判断手段とを有し、前記シート積載量判断手段により判断された前記シート積載量が、予め規定されたシート積載容量を超えている場合にはシート供給を停止するシート供給制御手段と、排出したシートのサイズを記憶するシートサイズ記憶手段とを備えた画像形成装置の制御方法において、前記シートサイズ記憶手段が記憶している排出済みシートサイズより大きいサイズのシートを供給する場合には、前記シート積載量判断手段により判断されたシート積載量が前記シート積載容量に満たない場合でも、前記シート積載容量とは異なる量に規定された混載シート積載容量を超えているならば、次のシート供給を停止するように制御させる事を特徴とする画像形成装置の制御方法。
【請求項６】
請求項５に記載の画像形成装置の制御方法において、前記シートサイズ記憶手段が記憶している排出済みシートのサイズと異なるサイズのシートを供給する場合に、次に排出するシートが排出済みシートより小さいサイズであれば、先に排出済みのシート積載量が前記混載シート積載容量を超えているかどうかに関係無く、次の異なるサイズのシート供給を停止しないように制御する事を特徴とする画像形成装置の制御方法。
【請求項７】
請求項５又は６に記載の画像形成装置の制御方法において、既に排出済みのシートが前記シート積載手段に積載されており、次にサイズの異なるシートを供給する場合で且つ供給するシートのサイズの方が既に積載済みのシートサイズよりも小さい場合には、前記シートサイズ記憶手段が記憶しているシートサイズをクリアし、次に排出されたシートサイズを記憶するように制御することを特徴とする画像形成装置の制御方法。
【請求項８】
前記シート積載手段に既に積載されている積載済みシートより小サイズのシートを排出する場合には、既に積載済みシートから連続してシート積載量を数えて次のシート積載の可否を判断するように制御することを特徴とする請求項５〜７の何れか１項に記載の画像形成装置の制御方法。
【発明の詳細な説明】
【技術分野】
【０００１】
本発明は画像形成装置によって大量にプリントされた記録紙が排紙されて逐次集積されるシート集積装置において、集積される各記録紙がこぼれ落ちることなく安全に集積されるように制御されるように各紙サイズ毎の単独集積数量や混載時の集積数量を制御できるようにした画像形成装置及びその制御方法に関する。
【背景技術】
【０００２】
従来、特許文献１に示すように、画像形成装置における画像形成済みの記録紙としてのシートは、そのサイズによって集積量を規制するものがあり、排紙部から排出される記録紙としてのシートのサイズを検知するシートサイズ検知手段とその検知結果に基づき記録紙としてのシートのサイズが基準サイズよりも小さい時に排紙される記録紙としてのシートの量を規制する方法についての開示がなされている。しかし、排紙量を規制する場合に、次の排紙サイズと比較し、排紙量を規制することについては触れられていない。
【０００３】
また、特許文献２に示すように、画像形成装置における排出された画像形成済みの記録紙としてのシートの積載の可否が、シートの重量情報と排出済みのシートの累積重量情報に基づいて、積載超過判断を行う手段についての開示がなされている。しかし、このように積載超過を判断する元の情報は重量情報であり、本発明のように排紙されるシートのサイズと積載量の両方によって積載超過を判断することを基調にしたものとは大きく異なるものである。
【特許文献１】特開平１１−１６５９４６号公報
【特許文献２】特開２００２−３２６７６３号公報
【発明の開示】
【発明が解決しようとする課題】
【０００４】
サイズの異なるシートを排出する場合で、積載済み小サイズシート束の上に大サイズのシートを排出すると、その各積載量と各サイズの大きさの関係によって、大サイズのシートは排紙束からすべり落ちてしまうことがある。本発明はこのようなことが起こらないように各シートの単独サイズの場合の積載容量及び複数サイズのシートを混載する場合の積載量を制御した画像形成装置及びその制御方法を提供することを課題目的にするものである。
【課題を解決するための手段】
【０００５】
この目的は次の技術手段（１）〜（８）の何れかによって達成される。
【０００６】
（１）画像を転写する記録紙としてのシートに画像を形成して排出する画像形成手段と、排出されたシートを積載しその積載量によって上下に移動する排紙トレイを有するシート積載手段と、該シート積載手段の排紙トレイの位置からシート積載量を判断するシート積載量判断手段とを有し、前記シート積載量判断手段により判断された前記シート積載量が、予め規定されたシート積載容量を超えている場合にはシート供給を停止するシート供給制御手段と、排出したシートのサイズを記憶するシートサイズ記憶手段とを備えた画像形成装置において、前記シートサイズ記憶手段が記憶している排出済みシートサイズより大きいサイズのシートを供給する場合には、前記シート積載量判断手段により判断されたシート積載量が前記シート積載容量に満たない場合でも、前記シート積載容量とは異なる量に規定された混載シート積載容量を超えているならば、次のシート供給を停止する事を特徴とする画像形成装置。
【０００７】
（２）（１）項に記載の画像形成装置において、前記シートサイズ記憶手段が記憶している排出済みシートのサイズと異なるサイズのシートを供給する場合に、次に排出するシートが排出済みシートより小さいサイズであれば、先に排出済みのシート積載量が前記混載シート積載容量を超えているかどうかに関係無く、次の異なるサイズのシート供給を停止しない事を特徴とする画像形成装置。
【０００８】
（３）（１）又は（２）項に記載の画像形成装置において、既に排出済みのシートが前記シート積載手段に積載されており、次にサイズの異なるシートを供給する場合で且つ供給するシートのサイズの方が既に積載済みのシートのサイズよりも小さい場合には、前記シートサイズ記憶手段が記憶しているシートのサイズをクリアし、次に排出されたシートのサイズを記憶することを特徴とする画像形成装置。
【０００９】
（４）前記シート積載手段に既に掲載されている積載済みシートより小サイズのシートを排出する場合には、既に積載済みシートから連続してシート積載量を数えて次のシート積載の可否判断をすることを特徴とする（１）〜（３）の何れか１項に記載の画像形成装置。
【００１０】
（５）画像を転写する記録紙としてのシートに画像を形成して排出する画像形成手段と、排出されたシートを積載しその積載量によって上下に移動する排紙トレイを有するシート積載手段と、該シート積載手段の排紙トレイの位置からシート積載量を判断するシート積載量判断手段とを有し、前記シート積載量判断手段により判断された前記シート積載量が、予め規定されたシート積載容量を超えている場合にはシート供給を停止するシート供給制御手段と、排出したシートのサイズを記憶するシートサイズ記憶手段とを備えた画像形成装置の制御方法において、前記シートサイズ記憶手段が記憶している排出済みシートサイズより大きいサイズのシートを供給する場合には、前記シート積載量判断手段により判断されたシート積載量が前記シート積載容量に満たない場合でも、前記シート積載容量とは異なる量に規定された混載シート積載容量を超えているならば、次のシート供給を停止するように制御させる事を特徴とする画像形成装置の制御方法。
【００１１】
（６）（５）項に記載の画像形成装置の制御方法において、前記シートサイズ記憶手段が記憶している排出済みシートのサイズと異なるサイズのシートを供給する場合に、次に排出するシートが排出済みシートより小さいサイズであれば、先に排出済みのシート積載量が前記混載シート積載容量を超えているかどうかに関係無く、次の異なるサイズのシート供給を停止しないように制御する事を特徴とする画像形成装置の制御方法。
【００１２】
（７）（５）又は（６）項に記載の画像形成装置の制御方法において、既に排出済みのシートが前記シート積載手段に積載されており、次にサイズの異なるシートを供給する場合で且つ供給するシートのサイズの方が既に積載済みのシートサイズよりも小さい場合には、前記シートサイズ記憶手段が記憶しているシートサイズをクリアし、次に排出されたシートサイズを記憶するように制御することを特徴とする画像形成装置の制御方法。
【００１３】
（８）前記シート積載手段に既に積載されている積載済みシートより小サイズのシートを排出する場合には、既に積載済みシートから連続してシート積載量を数えて次のシート積載の可否を判断するように制御することを特徴とする（５）〜（７）の何れか１項に記載の画像形成装置の制御方法。
【発明の効果】
【００１４】
本発明の画像形成装置及びその制御方法により、シート積載手段上に、排出済みの束上に重ねてサイズの異なるシートを排出した場合、後から排出したシートが束から落ちてしまうような事態を防ぐことができるようになり、安定したシートの供給と積載が可能になった。
【発明を実施するための最良の形態】
【００１５】
以下、本発明の画像形成装置及びその制御方法の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１６】
図１に示す画像形成装置１は、デジタル方式による画像形成装置であって、画像読取り部Ａ、画像処理部Ｂ、画像形成部Ｃ、記録紙としてのシートを搬送するシート搬送手段であるシート搬送部Ｄから構成されている。
【００１７】
画像読取り部Ａの上部には原稿を自動搬送する自動原稿送り手段が設けられていて、原稿載置台１１上に載置された原稿は原稿搬送ローラ１２によって１枚宛分離搬送され読み取り位置１３ａにて画像の読み取りが行われる。原稿読み取りが終了した原稿は原稿搬送ローラ１２によって原稿排紙皿１４上に排出される。
【００１８】
一方、プラテンガラス１３上に置かれた場合の原稿の画像は走査光学系を構成する照明ランプ及び第１ミラーから成る第１ミラーユニット１５の速度ｖによる読み取り動作と、Ｖ字状に位置した第２ミラー及び第３ミラーから成る第２ミラーユニット１６の同方向への速度ｖ／２による移動によって読み取られる。
【００１９】
読み取られた画像は、投影レンズ１７を通してラインセンサである撮像素子ＣＣＤの受光面に結像される。撮像素子ＣＣＤ上に結像されたライン状の光学像は順次電気信号（輝度信号）に光電変換されたのちＡ／Ｄ変換を行い、画像処理部Ｂにおいて濃度変換、フィルタ処理などの処理が施された後、画像データは一旦メモリに記憶される。
【００２０】
画像形成部Ｃでは、画像形成ユニットとして、像担持体であるドラム状の感光体２１と、その外周に、該感光体２１を帯電させる帯電手段２２、帯電した感光体の表面電位を検出する電位検出手段２２０、現像手段２３、転写分離手段である転写極２４及び分離極２５、前記感光体２１のクリーニング装置２６及び光除電手段としてのＰＣＬ（プレチャージランプ）２７が各々動作順に配置されている。また、現像手段２３の下流側には感光体２１上に現像されたパッチ像の反射濃度を測定する反射濃度検出手段２２２が設けられている。感光体２１は、光導電性化合物をドラム基体上に塗布形成したもので、例えば有機感光体（ＯＰＣ）が好ましく使用され、図示の時計方向に駆動回転される。
【００２１】
回転する感光体２１へは帯電手段２２による一様帯電がなされた後、像露光手段としての露光光学系３０により画像処理部Ｂのメモリから呼び出された画像信号に基づいた像露光が行われる。書き込み手段である像露光手段としての露光光学系３０は図示しないレーザーダイオードを発光光源とし、回転するポリゴンミラー３１、ｆθレンズ３４、シリンドリカルレンズ３５を経て反射ミラー３２により光路が曲げられ主走査がなされるもので、感光体２１に対してＡｏの位置において像露光が行われ、感光体２１の回転（副走査）によって潜像が形成される。本実施の形態の一例では文字部に対して露光を行い潜像を形成する。
【００２２】
感光体２１上の潜像は現像手段２３によって反転現像が行われ、感光体２１の表面に可視像のトナー像が形成される。転写材搬送部Ｄでは、画像形成ユニットの下方に異なるサイズの記録紙としてのシート（以降、単にシートともいう）Ｐが収納されたシート収納手段としての給紙ユニット４１（Ａ）、４１（Ｂ）、４１（Ｃ）と搬送ローラ４３Ｄが設けられ、また側方には手差し給紙を行う手差し給紙ユニット４２が設けられていて、それらの何れかから選択されたシートＰは案内ローラ４３によって搬送路４０に沿って給紙され、給紙されるシートＰの傾きと偏りの修正を行うレジストローラ対４４によってシートＰは一時停止を行ったのち再給紙が行われ、搬送路４０、転写前ローラ４３ａ、給紙経路４６及び進入ガイド板４７に案内され、感光体２１上のトナー画像が転写位置Ｂｏにおいて転写極２４及び分離極２５によってシートＰ上に転写され、搬送ベルト装置４５の搬送ベルト４５４に載置搬送されながら前記シートＰは感光体２１面より分離し、前記搬送ベルト装置４５により定着手段としての例えば誘導加熱型の定着装置５０に搬送される。
【００２３】
定着装置５０は加熱源を持つ、回転体加熱部材としての定着ローラ５１と加圧部材としての加圧ローラ５９とを有しており、シートＰを定着ローラ５１と加圧ローラ５９との間を通過させることにより、加熱、加圧によってトナーを定着させる。トナー画像の定着を終えたシートＰはシート積載手段８０の排紙トレイ８１上に排出される。
【００２４】
以上はシートＰの片側への画像形成を行う状態を説明したものであるが、両面複写の場合は排紙切換部材１７０が切り替わり、シート案内部１７７が開放され、転写材又は記録紙と呼ばれるシートＰは破線矢印の方向に搬送される。
【００２５】
更に、搬送機構１７８によりしーとＰは下方に搬送され、シート反転部１７９によりスイッチバックさせられ、今までのシートＰの後端部は先端部となって両面複写用給紙ユニット１３０内に搬送される。
【００２６】
シートＰは両面複写用給紙ユニット１３０に設けられた搬送ガイド１３１を給紙方向に移動し、給紙ローラ１３２でシートＰを再給紙し、シートＰを搬送路４０に案内する。
【００２７】
再び、上述したように感光体２１方向にシートＰを搬送し、シートＰの裏面にトナー画像を転写し、定着装置５０で定着した後、シート積載手段８０の排紙トレイ８１上に排紙する。
【００２８】
さて、このシート積載手段８０の排紙トレイ８１はシート積載手段８０に設けた案内レール８２に沿って駆動モータで上下動が可能であり、排紙トレイ８１上に積載されたシートＰの上限をセンサにより検知して、トレイの位置を自動調節する。トレイ位置調節後にその位置が予め規定されていた位置に達していたら、積載オーバーとして排紙（プリント）を停止し、排紙を取り除くまでプリントを禁止する。
【００２９】
上述のような給紙ユニット４１（Ａ）、４１（Ｂ）、４１（Ｃ）と搬送ローラ４３Ｄからなるシートの供給手段と案内レール８２上を上下に駆動されて移動する排紙トレイ８１へのシートを排出するシート積載手段８０とについての、本発明の実施の形態例を説明する。
【００３０】
サイズの異なるシートＡ、Ｂ、Ｃがあり、シートサイズの大小関係が（Ａ＞Ｂ＞Ｃ）である場合には、複数のサイズのシートを混載する場合の各混載シート積載容量Ｎ１，Ｎ２、Ｎ３及び排紙するシートのサイズが単独のときのシート積載容量Ｎ（サイズに関係なく一定値）は以下の表１、表２，表３のような関係になる。尚、図２の模式図で示すように、集積されるシートの積載量がＸであるとする。
【００３１】
【表１】
2005350156.tif 000003
【００３２】
（Ｎ１＞Ｎ２）でシートＡを後から給紙するとき、
先に排紙済みのシートがＢの場合、積載量ＸがＮ１より少ないならば、Ａは給紙可能
先に排紙済みのシートがＣの場合、積載量ＸがＮ２より少ないならば、Ａは給紙可能
【００３３】
【表２】
2005350156.tif 000004
【００３４】
（Ｎ＞Ｎ３）でシートＢを後から給紙するとき、
先に排紙済みのシートがＡの場合、積載量Ｘはシート積載容量ＮまでＢは給紙可能（通常の動作と同じ）
先に排紙済みのシートがＣの場合、積載量ＸがＮ３より少ないならば、Ｂは給紙可能
【００３５】
【表３】
2005350156.tif 000005
【００３６】
シートＣを後から給紙するとき、
次に給紙するシートがＣの場合、先に積載済みのシートがＡ、Ｂどちらであっても、積載量Ｘがシート積載容量Ｎに達してないならば、Ｃは給紙可能（通常の動作と同じ）
排紙時のフローは図３のフローチャートのようになる。
【００３７】
即ち、ステップ（Ａ−１、Ａ−２）において、シートが排出されるとその時のトレイ位置（Ｔ）を取得し、トレイ初期値（Ｔ１）からトレイ移動量（ΔＴ）を計算する。トレイにシートが排出されていない状態の時、トレイ初期値は“０”となる。
【００３８】
ステップ（Ａ−３：Ｙｅｓ）のとき、トレイ移動量が０、またはマイナスの場合には、ステップ（Ａ−４）でトレイ初期値に現在のトレイ位置をセットすると共に、ステップ（Ａ−６）で今、排紙された紙サイズを記憶手段にセットし終了する。
【００３９】
ここで排紙量がマイナスの場合は、排紙途中で積載されたシートの全部又は一部が取り除かれた場合である。
【００４０】
また、ステップ（Ａ−３：Ｎｏ）のとき、トレイ移動量がある場合には、ステップ（Ａ−５）で既に積載されているサイズと排紙したサイズと比較し、ステップ（Ａ−５：Ｙｅｓ）で積載サイズの方が排紙サイズよりも大きいならば、排紙されたサイズを積載サイズとして記憶する。
【００４１】
更に、ステップ（Ａ−５：Ｎｏ）で積載シートのサイズより排紙シートのサイズの方が大きい場合には、ステップ（Ａ−６）で排紙処理を終了する。
【００４２】
また、給紙時のフローは図４のフローチャートのようになる。
【００４３】
即ち、ステップ（Ｂ−１、Ｂ−２）でトレイ位置を取得し、トレイ移動量を計算する。
【００４４】
ステップ（Ｂ−３：ＹＥＳ）で給紙するサイズが排紙済みのサイズよりも大きい場合には、ステップ（Ｂ−４）で、排紙済みサイズの混載シート積載容量を取得し、ステップ（Ｂ−５）で、先に計算したトレイ移動量が混載シート積載容量をオーバーしているかどうかを判断し、ステップ（Ｂ−５：Ｙｅｓ）でオーバーしている場合には、給紙を停止し、ステップ（Ｂ−５：Ｎｏ）でオーバーしていないならば給紙可能とする。
【００４５】
ステップ（Ｂ−３：Ｎｏ）で給紙サイズが排紙済みサイズよりも小さい場合には、更にステップ（Ｂ−６）でシート積載容量をオーバーしているかをチェックし、ステップ（Ｂ−６：Ｙｅｓ）でオーバーならば給紙を停止し、ステップ（Ｂ−６：Ｎｏ）でオーバーしていないならば給紙可能とする。
【００４６】
請求項１、５の実施の形態例１として、排紙サイズがＡ４判（７００枚）、Ａ３判（２００枚）となるＪＯＢを実行した場合を、図５（ａ）、（ｂ）のタイムチャートに示す。ここに（ａ）は給紙の状態、（ｂ）は排紙の状態を示す。
【００４７】
Ａ４判のシートの積載容量を２０００、Ａ４判とそれより大きいサイズの混載シート積載容量を５００とし、Ａ４判のシート１枚目が排出された時のトレイ初期位置Ｔ１を０とした場合、
既に排紙済みのＡ４判のシートは積載容量（２０００）には達していないが、Ａ４判とそれより大きいサイズの混載シート積載容量（５００）を超えているため、Ａ３判シートの先頭紙の給紙判断で給紙不可となり給紙を停止することになる。
【００４８】
請求項１、５の実施の形態例２として、
上記と同じＡ４判のシート（７００枚）、Ａ３判のシート（２００枚）を排出するＪＯＢを実行し、Ａ４判の排出シートの一部を途中で取り除いた場合を、図６（ａ）、（ｂ）のタイムチャートに示す。ここに（ａ）は給紙の状態、（ｂ）は排紙の状態を示す。
【００４９】
Ａ４判のシート積載容量を２０００、混載シート積載容量を５００とし、Ａ４判のシート１枚目が排出された時のトレイ初期位置Ｔ１を０とした場合であるが、Ａ３判のシートのサイズの先頭シートを給紙する場合に、積載量がＡ４判とそれより大きいサイズの混載シート積載容量５００に達していないため、Ａ３判のシートは給紙可能となる。
【００５０】
請求項２、３、４、６、７、８の実施の形態例として、
排紙のシートサイズがＡ４判で（７００枚）、Ａ５判で（２００枚）となるＪＯＢを実行した場合のタイムチャートを図７（ａ）、（ｂ）に示す。ここに（ａ）は給紙の状態、（ｂ）は排紙の状態を示す。
【００５１】
Ａ４の積載容量を２０００、混載シート積載容量５００とし、Ａ４判シートの１枚目が排出された時のトレイ初期位置Ｔ１を０とした場合である。
【００５２】
このとき、請求項２、６では、
既に積載済みのＡ４判のシートは混載シート積載容量５００を超えているが、次の給紙シートサイズがＡ５判であるためシートは給紙可能となる。
【００５３】
また、請求項３、７では、
排紙処理で積載シートサイズをＡ５判にセットし直すことを可能にしている。これは、図３のフローチャートでのステップ（Ａ−５；ＹＥＳ）からステップ（Ａ−６）への移行に相当する。
【００５４】
また、請求項４、８では、
Ａ５判のシート排出後の排紙処理で、既に排出済みのＡ４判シート、７００枚から更に連続して排出量を計算（加算）することを可能にしている。
【００５５】
次に、以上の各機能を実行するための制御手段について説明する。
図８の本発明の画像形成装置の回路のブロック図に示すように、画像の読み込みは、ＣＣＤカメラから原稿画像を読み取り、それを読み取り処理部を経て圧縮ＩＣを介してＤＲＡＭ制御ＩＣにより圧縮メモリに収納する。圧縮メモリに収納された画像データは、必要時の画像出力に際し、圧縮メモリからＤＲＡＭ制御ＩＣに取り出され、伸長ＩＣによって元のデータに戻され、レーザダイオードＬＤを駆動して画像の出力が行われる。
【００５６】
一方、コントローラ制御ＣＰＵによりＬＡＮのインターフェースＩＦを介してＤＲＡＭ制御ＩＣに制御された画像情報がＰＣＩバスで接続され、圧縮メモリに収納されてＬＡＮシステムの画像の入出力にも対応させることが可能にしてある。
【００５７】
この中で画像制御ＣＰＵはシステムメモリとして記憶手段や判断手段を持つもので、これについては図９のシート積載制御のブロック図を用いて説明する。図９に示すように、画像制御を含めた制御を行うＣＰＵは、プログラムメモリーに格納されているプログラムにしたがって、シート積載手段８０の可動式の排紙トレイ８１の位置をシステムメモリー（ＲＡＭ）上に格納する。同様に、排紙したシートＰのサイズについてもシステムメモリー上に格納する。このようにして供給されるシートのサイズやシート積載容量や混載シート積載容量に応じて操作部と共に給紙の搬送及び停止や排紙の搬送及び停止やトレイの移動及び停止も制御するようにしてある。
【図面の簡単な説明】
【００５８】
【図１】画像形成装置全体の中央断面図である。
【図２】画像形成装置のシート積載手段の積載量を示す模式図である。
【図３】本発明における排紙時の状態を示すフローチャートである。
【図４】本発明における給紙時の状態を示すフローチャートである。
【図５】本発明の実施の形態の一例を示すタイムチャートである。
【図６】本発明の実施の形態の他の一例を示すタイムチャートである。
【図７】本発明の実施の形態の別の一例を示すタイムチャートである。
【図８】本発明の画像形成装置の回路のブロック図である。
【図９】図８の画像制御ＣＰＵによるシート積載制御のブロック図である。
【符号の説明】
【００５９】
１  画像形成装置
２１  感光体
２２  帯電手段
２３  現像手段
２４  転写極
２５  分離極
２６  クリーニング装置
３０  露光光学系（露光手段）
４１（Ａ）、４１（Ｂ）、４１（Ｃ）  給紙ユニット
４３Ｄ  搬送ローラ
６３  排紙ローラ
８０  シート積載手段
８１  排紙トレイ
８２  案内レール
Ｐ  シート
【図１】
2005350156.tif 000006
【図２】
2005350156.tif 000007
【図３】
2005350156.tif 000008
【図４】
2005350156.tif 000009
【図５】
2005350156.tif 000010
【図６】
2005350156.tif 000011
【図７】
2005350156.tif 000012
【図８】
2005350156.tif 000013
【図９】
2005350156.tif 000014